(57)【特許請求の範囲】
【請求項１】
鍵と、
前記鍵の頭部に装着される装置本体と、
前記装置本体に前記頭部と離間して形成される空間部と、
前記鍵の回動中心軸と同軸で空間部に設けられるガイド軸と、
軸線直交断面が長円環となる筒状に形成され内穴に前記ガイド軸を挿通して重力により前記空間部で可動自在となるフリコと、
前記鍵の挿抜方向に摺動自在となって前記装置本体に設けられるとともに、表面に解錠表示部と施錠表示部が前記挿抜方向に並べて設けられるスライダーと、
前記スライダーを前記空間部へ付勢する一方で前記鍵の錠への挿入で鍵穴周部から受ける反力にて前記装置本体に後退し前記スライダーを前記空間部から離反する方向へ移動させるトリガーと、
前記装置本体に開口され前記解錠表示部と前記施錠表示部のいずれか一方を選択的に表出させる表示窓部と、を備え、
前記スライダーは、前記フリコの移動位置に応じて前記空間部へ突出が許容または阻止されるフリコ検出ボスと、該フリコ検出ボスと同時に前記空間部に突出して前記フリコの移動を規制するフリコ移動規制ボスと、
を具備することを特徴とする施解錠表示キー。
【請求項２】
請求項１記載の施解錠表示キーであって、
前記フリコ検出ボスには、前記空間部への突出が阻止されるときに前記内穴に嵌入する表示保持ボスが突設されていることを特徴とする施解錠表示キー。
【請求項３】
請求項１又は２記載の施解錠表示キーであって、
前記鍵の錠への挿入で鍵穴周部から受ける反力にて前記装置本体に後退するトリガーロックが、前記鍵を挟んで前記トリガーの反対側に設けられ、
前記トリガーロックは、進出位置で前記トリガーの後退を阻止するとともに後退位置で前記トリガーの後退阻止を解除することを特徴とする施解錠表示キー。
【請求項４】
請求項１，２，３のいずれか１つに記載の施解錠表示キーであって、
前記スライダーの表面には、前記解錠表示部と前記施錠表示部が交互に三つ前記挿抜方向に並べて設けられ、
前記装置本体には前記表示窓部の形成された窓部材が着脱自在に装着され、
前記窓部材に形成される前記表示窓部は、該窓部材における前記鍵の挿抜方向中央部から表示部一つ分だけ前記挿抜方向のいずれか一方に片寄せられて設けられていることを特徴とする施解錠表示キー。
【請求項５】
既存鍵の頭部に装着される装置本体と、
前記装置本体に前記頭部と離間して形成される空間部と、
前記鍵の回動中心軸と同軸で空間部に設けられるガイド軸と、
軸線直交断面が長円環となる筒状に形成され内穴に前記ガイド軸を挿通して重力により前記空間部で可動自在となるフリコと、
前記鍵の挿抜方向に摺動自在となって前記装置本体に設けられるとともに、表面に解錠表示部と施錠表示部が前記挿抜方向に並べて設けられるスライダーと、
前記スライダーを前記空間部へ付勢する一方で前記鍵の錠への挿入で鍵穴周部から受ける反力にて前記装置本体に後退し前記スライダーを前記空間部から離反する方向へ移動させるトリガーと、
前記装置本体に開口され前記解錠表示部と前記施錠表示部のいずれか一方を選択的に表出させる表示窓部と、を備え、
前記スライダーは、前記フリコの移動位置に応じて前記空間部へ突出が許容または阻止されるフリコ検出ボスと、該フリコ検出ボスと同時に前記空間部に突出して前記フリコの移動を規制するフリコ移動規制ボスと、
を具備することを特徴とする施解錠表示装置。
【発明の詳細な説明】
【技術分野】
【０００１】
本発明は、表裏面が水平となる向きで鍵穴に挿入され双方向の回転により施錠又は解錠となる錠装置に用いて好適な施解錠表示キーおよび施解錠表示装置に関する。
【背景技術】
【０００２】
錠装置の施解錠状態を視認可能とする表示装置や表示手段を錠装置に設けるものがある。例えば、錠内部の連動機構部を、外装ケースに設けた透孔から表示させるもの、赤や青などの着色部材の切替表示や、「施錠」・「解錠」の文字を表示するもの、或いは、電気的な手段で、内部の施解錠状態を表示するもの、センサーなどを用いてライトの点灯・消灯を切替えるものなどが挙げられる。ところが、これら構成では錠装置自体を見ないことには、その施解錠状態を判断できない。そこで、鍵の付属品として把持部（キーヘッド）に施解錠状態を表示するものが案出されている。
【０００３】
例えば特許文献１に開示の施錠確認表示付き鍵付属品は、鍵の挿入方向に対して垂直に小球が移動できる溝形状部を備え、その溝形状部内に小球を設け、かつ、鍵の挿入方向に対して水平にバネにて可動する突起部と一体であるスライド板を設け、溝形状部中央部にその突起部が行き来できるスリットを設けることで、鍵の開閉の際の回転で移動する小球の位置によって施錠状態が表示できるように構成している。
【０００４】
また、特許文献２に開示の施解錠表示機能付き鍵は、空間に設けた複数のボール体の移動を許容し、移動するボール体を解錠位置および施錠位置へガイドする案内溝および保持部と係脱自在に設けられ鍵ブランクが抜き差しされる方向に直交する方向に移動可能なスライダーを備える。鍵ブランクを鍵穴に差し込んで施解錠操作するときのみ、スライダーが保持部との係合から解脱する一方、保持部とスライダーとによるボール体の拘束が解除され、鍵ブランクの回転に連動してスライダーとともにボール体が重力により落下することで、ボール体が施錠位置または解錠位置に移動して保持されるように構成している。
【先行技術文献】
【特許文献】
【０００５】
【特許文献１】特開２００６−１６９４６号公報
【特許文献２】特開２００９−２７５４１１号公報
【発明の概要】
【発明が解決しようとする課題】
【０００６】
しかしながら、キーが、両面で使用可能なリバーシブルタイプの場合、特許文献１の片面のみに表示手段を設けた構成では、錠装置の状態を正しく表示できないことがある。また、この構成を単純に両面にそれぞれ設けても正しく機能しない。例えば１つの面に対して右を「施錠」、左を「解錠」とした場合に、リバーシブル使用した場合、表示が逆になることがある。一方、特許文献２の施解錠表示機能付き鍵は、リバーシブル使用も可能となるが、狭小後端面におけるボール体の位置で施解錠を表示するため、良好な視認性が得られない。
【０００７】
本発明は上記状況に鑑みてなされたもので、その目的は、リバーシブルタイプの鍵に対応でき、施解錠状態をキーの挿抜方向に沿う側面に、文字等明瞭に状態を表示させることのできる施解錠表示キーおよび施解錠表示装置を提供することにある。
【課題を解決するための手段】
【０００８】
次に、上記の課題を解決するための手段を、実施の形態に対応する図面を参照して説明する。
本発明の請求項１記載の施解錠表示キーは、鍵１１と、
前記鍵１１の頭部１３に装着される装置本体１５と、
前記装置本体１５に前記頭部１３と離間して形成される空間部１７と、
前記鍵１１の回動中心軸１９と同軸で空間部１７に設けられるガイド軸２１と、
軸線直交断面が長円環となる筒状に形成され内穴２３に前記ガイド軸２１を挿通して重力により前記空間部１７で可動自在となるフリコ２５と、
前記鍵１１の挿抜方向に摺動自在となって前記装置本体１５に設けられるとともに、表面２７に解錠表示部２９と施錠表示部３１が前記挿抜方向に並べて設けられるスライダー３３と、
前記スライダー３３を前記空間部１７へ付勢する一方で前記鍵１１の錠への挿入で鍵穴周部から受ける反力にて前記装置本体１５に後退し前記スライダー３３を前記空間部１７から離反する方向へ移動させるトリガー３７と、
前記装置本体１５に開口され前記解錠表示部２９と前記施錠表示部３１のいずれか一方を選択的に表出させる表示窓部３９と、を備え、
前記スライダー３３は、前記フリコ２５の移動位置に応じて前記空間部１７へ突出が許容または阻止されるフリコ検出ボス４１と、該フリコ検出ボス４１と同時に前記空間部１７に突出して前記フリコ２５の移動を規制するフリコ移動規制ボス４３と、
を具備することを特徴とする。
【０００９】
この施解錠表示キーでは、鍵１１が錠に差し込まれ、施解錠方向のいずれか一方に回転されると、空間部１７のフリコ２５が、ガイド軸２１を中心に重力の作用を受けて長手方向が鉛直方向となるように姿勢する。これにより、表示に備えたフリコ２５の姿勢のリセットがなされる。施解錠を完了させた後、鍵１１を錠から引き抜くために、水平姿勢となるまで再び逆回転されると、長手方向上端の内穴２３にガイド軸２１が配置され長手方向下端が自由端となっていたフリコ２５が、空間部１７に対し相対的に回転されて所定形状に形成された空間部１７の内壁面に当接配置される。この状態で鍵１１が水平姿勢となり、錠から抜かれると、トリガー３７とトリガーロック４９が突出し、同時にフリコ検出ボス４１がフリコ２５を検出する。その結果、スライダー３３の摺動位置が表示窓部３９に対し一定の位置に配置され、解錠表示部２９又は施錠表示部３１のいずれかが表示される。
【００１０】
請求項２記載の施解錠表示キーは、請求項１記載の施解錠表示キー１００であって、
前記フリコ検出ボス４１には、前記空間部１７への突出が阻止されるときに前記内穴２３に嵌入する表示保持ボス４７が突設されていることを特徴とする。
【００１１】
この施解錠表示キーでは、フリコ検出ボス４１が空間部１７へ突出されるフリコ２５の位置では、フリコ検出ボス４１とともに突出するフリコ移動規制ボス４３によってフリコ２５の回転方向の移動が規制されるが、フリコ移動規制ボス４３が突出しないフリコ２５の位置では、フリコ検出ボス４１の表示保持ボス４７が内穴２３に挿入される。これにより、フリコ２５は、内穴２３の長手方向一端にガイド軸２１が挿入され、他端に表示保持ボス４７が挿入されて移動が規制される。
【００１２】
請求項３記載の施解錠表示キーは、請求項１又は２記載の施解錠表示キー１００であって、
前記鍵１１の錠への挿入で鍵穴周部から受ける反力にて前記装置本体１５に後退するトリガーロック４９が、前記鍵１１を挟んで前記トリガー３７の反対側に設けられ、
前記トリガーロック４９は、進出位置で前記トリガー３７の後退を阻止するとともに後退位置で前記トリガー３７の後退阻止を解除することを特徴とする。
【００１３】
この施解錠表示キーでは、トリガーロック４９が装置本体１５に全ストローク分押し込められることで、トリガー３７の後退規制が解除される。
【００１４】
請求項４記載の施解錠表示キーは、請求項１，２，３のいずれか１つに記載の施解錠表示キー１００であって、
前記スライダー３３の表面２７には、前記解錠表示部２９と前記施錠表示部３１が交互に三つ前記挿抜方向に並べて設けられ、
前記装置本体１５には前記表示窓部３９の形成された窓部材５１が着脱自在に装着され、
前記窓部材５１に形成される前記表示窓部３９は、該窓部材５１における前記鍵１１の挿抜方向中央部から表示部一つ分だけ前記挿抜方向のいずれか一方に片寄せられて設けられていることを特徴とする。
【００１５】
この施解錠表示キーでは、窓部材５１の挿抜方向中央部から表示窓部３９が表示部一つ分だけ片寄せられ、窓部材５１が１８０度反転されて装置本体１５に付け替えられることで、今まで使用されていなかった反対端の解錠表示部２９又は施錠表示部３１が使用されるようになって、現状表示の内容を反転（施解錠表示を反転）させることができる。
【００１６】
請求項５記載の施解錠表示装置は、既存鍵の頭部１３に装着される装置本体１５と、
前記装置本体１５に前記頭部１３と離間して形成される空間部１７と、
前記鍵１１の回動中心軸１９と同軸で空間部１７に設けられるガイド軸２１と、
軸線直交断面が長円環となる筒状に形成され内穴２３に前記ガイド軸２１を挿通して重力により前記空間部１７で可動自在となるフリコ２５と、
前記鍵１１の挿抜方向に摺動自在となって前記装置本体１５に設けられるとともに、表面２７に解錠表示部２９と施錠表示部３１が前記挿抜方向に並べて設けられるスライダー３３と、
前記スライダー３３を前記空間部１７へ付勢する一方で前記鍵１１の錠への挿入で鍵穴周部から受ける反力にて前記装置本体１５に後退し前記スライダー３３を前記空間部１７から離反する方向へ移動させるトリガー３７と、
前記装置本体１５に開口され前記解錠表示部２９と前記施錠表示部３１のいずれか一方を選択的に表出させる表示窓部３９と、を備え、
前記スライダー３３は、前記フリコ２５の移動位置に応じて前記空間部１７へ突出が許容または阻止されるフリコ検出ボス４１と、該フリコ検出ボス４１と同時に前記空間部１７に突出して前記フリコ２５の移動を規制するフリコ移動規制ボス４３と、
を具備することを特徴とする。
【００１７】
この施解錠表示装置では、装置本体１５に任意の既存鍵が装着されることで、既存鍵によって施解錠される扉の施解錠状態が、装置本体１５の表示窓部３９に表示可能となる。
【発明の効果】
【００１８】
本発明に係る請求項１記載の施解錠表示キーによれば、リバーシブルタイプの鍵に対応でき、通常の施解錠操作をするだけで、扉の施解錠状態をキーの挿抜方向に沿う側面に、文字等明瞭に表示させることができる。
【００１９】
請求項２記載の施解錠表示キーによれば、フリコ検出ボスとともにフリコ移動規制ボスが空間部に進出しない状態であっても、フリコ検出ボスの頂部に形成された表示保持ボスがフリコの内穴に嵌入するので、トリガーをストローク端まで押さない限り、表示状態を保持することができる。
【００２０】
請求項３記載の施解錠表示キーによれば、トリガーロックをストローク端まで押さない限り、トリガーが作動しないので、鍵単体で持ち歩いた際の誤動作を防止できる。
【００２１】
請求項４記載の施解錠表示キーによれば、窓部材の装着向きを変えることで、錠装置の左右勝手、すなわち錠装置が取り付けられる位置に応じて施錠や解錠の鍵を回す方向が時計回りか反時計回りか異なる場合に、容易に表示動作の切替対応を可能にすることができる。
【００２２】
請求項５記載の施解錠表示装置によれば、既存鍵と別体に構成されて装着されるので、既存鍵に二次加工を施さずに、既存鍵を原型のまま使用して、表示機能を付加することができる。このことから、既存鍵を変更する場合にも対応でき、例えば集合住宅などで錠装置及び合鍵を取り替える際に、その変更された合鍵に表示機能を付加させることが可能である。
【図面の簡単な説明】
【００２３】
【図１】本発明に係る施解錠表示キーの外観斜視図である。
【図２】キー表面ケースを取り外した斜視図である。
【図３】キー裏面ケースを取り外した斜視図である。
【図４】鍵の回動中心軸を含む鍵表面に垂直な断面図である。
【図５】フリコガイドの正面図を（ａ）にフリコガイド近傍部材の分解斜視図を（ｂ）に示した図である。
【図６】トリガーロックの突出時における動作説明図である。
【図７】トリガーロックの後退時における動作説明図である。
【図８】施解錠操作に伴うフリコの姿勢を（ａ）（ｂ）（ｃ）（ｄ）（ｅ）で表した動作説明図である。
【図９】鍵表裏反転使用された場合の施解錠操作に伴うフリコの姿勢を（ａ）（ｂ）（ｃ）（ｄ）（ｅ）で表した動作説明図である。
【図１０】フリコ検出ボス未突出の施錠操作後の動作説明図である。
【図１１】図１０においてフリコ検出ボスが突出したキー引き抜き後の動作説明図である。
【図１２】フリコ検出ボス未突出の解錠操作後の動作説明図である。
【図１３】図１２においてフリコ検出ボスが突出したキー引き抜き後の動作説明図である。
【図１４】施錠表示状態でのフリコの移動許容状況を（ａ）（ｂ）で表した要部斜視図である。
【図１５】表示保持ボスが内穴に嵌入した解錠表示状態の要部斜視図である。
【図１６】窓部材の装着向き変更による表示切替状況を表した作用説明図である。
【発明を実施するための形態】
【００２４】
以下、本発明の実施の形態を図面を参照して説明する。
図１は本発明に係る施解錠表示キーの外観斜視図である。
本実施の形態に係る施解錠表示キー１００は、キー表面ケース５７、キー裏面ケース５９が水平となる向きで不図示の鍵穴に挿入され双方向の回転、例えば９０°ずつの回転により施錠又は解錠となる錠に用いられて、その施解錠状態をキー表面ケース５７に表示させる。すなわち、リバーシブル対応の施解錠状態表示機能をキー自体に備えている。なお、本実施の形態は、錠が時計回りで施錠、反時計回り解錠される場合を例に説明するが、施解錠表示キーは勿論その反対回動操作の錠にも適用できるものである。また、本発明は、鍵１１を構成要件とする本実施の形態に係る施解錠表示キー１００、または鍵１１を備えない後述する施解錠表示装置のいずれの形態も含むものである。
【００２５】
装置本体１５は、キー表面ケース５７とキー裏面ケース５９を結合して外殻が形成される。装置本体１５からは頭部の保持された鍵１１が突出される。キー表面ケース５７には貫通窓が形成され窓部材であるクリヤーウィンドゥ５１が着脱自在に設けられる。クリヤーウィンドゥ５１には表示窓部３９が形成され、表示窓部３９には例えば図例のように施錠表示部３１が表示される。また、装置本体１５からはメイントリガー３７が、鍵１１の一方の面側に沿って進退自在となって突出する。
【００２６】
図２はキー表面ケースを取り外した斜視図、図３はキー裏面ケースを取り外した斜視図である。
キー表面ケース５７を取り外した図２に示す装置本体１５は、鍵１１の頭部１３を保持している。頭部１３は、図３に示す複数の保持壁７３によって包囲されて固定されている。装置本体１５の後端部にはフリコガイド６１が固定される。なお、本明細書中、鍵１１の挿入方向を前、鍵１１の抜去方向を後として説明する。フリコガイド６１は、後板部６１ａから一対の平行な脚部６１ｂ，６１ｂが前方に向かって突出される。脚部６１ｂ，６１ｂの内側対向面にはガイド溝６１ｃが形成され、ガイド溝６１ｃはスライダー３３を前後方向に摺動自在に保持している。
【００２７】
図４は鍵の回動中心軸を含む鍵表面に垂直な断面図、図５はフリコガイド近傍部材の分解斜視図を（ａ）にフリコガイドの正面図を（ｂ）に示した図である。
フリコガイド６１には後端面に開口する空間部１７が、装置本体１５内の鍵１１の頭部１３と離間して形成されている。空間部１７は、後方からの正面視で中間の括れた長円状の図５に示す略繭形に形成される。空間部１７の中央には後方に向かってガイド軸２１が突設されている。ガイド軸２１は、鍵１１の回動中心軸１９と同軸で空間部１７に設けられる。
【００２８】
空間部１７にはフリコ２５が配置されている。フリコ２５は、軸線直交断面が長円環となる略筒状に形成され、内穴２３にガイド軸２１を挿通する。これにより、フリコ２５は、重力により空間部１７で可動自在となる。フリコ２５は、ある程度の重量と摺動性が必要となる材質よりなり、タングステン粉と樹脂の複合材料などの高比重樹脂等による成形品、又は耐摩耗性を備えたダイキャスト用亜鉛合金等とすることが好ましい。
【００２９】
フリコ２５を収容する空間部１７は、装置本体１５に固定されるガイドカバー６３によって開口が塞がれ、フリコ２５の軸線方向の脱落が規制されている。このガイドカバー６３には、スライダー３３に設けられた後述のフリコ移動規制ボスや表示保持ボスの進入可能な複数の支持用孔７５が穿設されている。また、これら支持用孔７５を挟む両側には、フリコガイド６１の後端面に突設する一対の位置決め突起７７，７７と嵌合する位置決め孔７９，７９が穿設されている。
【００３０】
図５（ｂ）に示すように、空間部１７の底壁には形状の異なる検出ボス用貫通穴８１，８１と、規制ボス用貫通穴８３，８３が、一対ずつ穿設されている。これら、検出ボス用貫通穴８１，８１と規制ボス用貫通穴８３，８３には、後述のフリコ検出ボスやフリコ移動規制ボスが挿通される。なお、フリコガイド６１の空間部１７の開口周囲には、フリコ２５の姿勢位置を動作確認時等に読み取るための例えばＡ，Ｂ，Ｃ，Ｄ等の符号８５が設けられている。
【００３１】
上記のように、装置本体１５に対し、鍵１１の挿抜方向に摺動自在となったスライダー３３の表面２７には、図５に示す解錠表示部２９と施錠表示部３１が挿抜方向に並べて設けられる。解錠表示部２９と施錠表示部３１とは、交互に三つ挿抜方向に並べられている。本実施の形態では、例えば一つの施錠表示部３１を挟んで二つの解錠表示部２９が設けられるが、その逆の配列であってもよい。これにより、後述するように錠の左右勝手に対応可能としている。
【００３２】
装置本体１５のキー表面ケース５７には、透明樹脂材料等からなるクリヤーウィンドゥ５１が着脱自在に装着される。このクリヤーウィンドゥ５１には例えば表示面の厚みを内側方向に大きくした表示窓部３９が形成される。表示窓部３９は、解錠表示部２９と施錠表示部３１のいずれか一方を選択的に表出させる位置、サイズで形成されている。このクリヤーウィンドゥ５１は、弾性係止手段８７（図１６参照）によりユーザーによっても容易に脱着可能に構成されている。
【００３３】
図２に示したように、メイントリガー３７の後端にはメイントリガー用スプリング６９の先端が当接され、メイントリガー用スプリング６９は後端がキー表面ケース５７に立設されたバネ座５８に当接している。これにより、メイントリガー３７は、前側に付勢されている。メイントリガー３７の両側面にはラック８９が形成され、トリガーラック８９はキー裏面ケース５９にて回動自在に支持される一対のギア６５，６５に噛合している。このギア６５には、スライダー３３の脚部６１ｂ，６１ｂに形成されたスライダーラック９１が噛合している。つまり、メイントリガー３７がメイントリガー用スプリング６９の付勢力に抗して後退されると、ギア６５，６５の回転を介してスライダーラック９１が前側へ移動されるようになっている。
【００３４】
メイントリガー３７は、スライダー３３を空間部１７へ付勢する一方で、鍵１１の錠への挿入で鍵穴周部から受ける反力にて装置本体１５に後退し、スライダー３３を空間部１７から離反する方向へ移動させる。
【００３５】
図６はトリガーロックの突出時における動作説明図、図７はトリガーロックの後退時における動作説明図である。
鍵１１を挟んでメイントリガー３７の反対側にはトリガーロックであるサブトリガー４９が配置され、サブトリガー４９も鍵１１の挿抜方向に摺動自在となる。サブトリガー４９には摺動方向に長い切欠部９３が形成され、切欠部９３にはサブトリガー用スプリング７１が配置される。サブトリガー用スプリング７１は、先端が切欠部９３に当接し、後端がキー裏面ケース５９に立設されたバネ座６０に当接して、サブトリガー４９を前方向に付勢している。
【００３６】
サブトリガー４９にはアーム板部９５が形成され、アーム板部９５はカムフォロア６７が固定されている。一方、キー表面ケース５７には図２に示すストッパー９７が挿抜方向に直交する方向に摺動自在に設けられている。このストッパー９７には図７に示す略へ字状に形成されたカム溝９９が形成され、カム溝９９はカムフォロア６７と係合している。カム溝９９をカムフォロア６７に係合したストッパー９７は、サブトリガー４９が突出した図６の状態で、爪部９７ａがメイントリガー３７に係合してメイントリガー３７の後退を阻止している。一方、ストッパー９７は、図７に示すように、サブトリガー４９が後退すると、カムフォロア６７がカム溝９９を押圧し、爪部９７ａをメイントリガー３７から離反方向に移動する。つまり、メイントリガー３７の後退阻止が解除される。
【００３７】
このように、サブトリガー４９は、進出位置でメイントリガー３７の後退を阻止するとともに、後退位置でメイントリガー３７の後退阻止を解除する。サブトリガー４９が装置本体１５に所定のストローク分押し込められることで、メイントリガー３７の後退規制は解除される。したがって、サブトリガー４９を押さない限り、メイントリガー３７が作動しないので、鍵単体で持ち歩いた際の誤動作を防止できる。
【００３８】
スライダー３３は、フリコ２５の移動位置に応じて空間部１７へ突出が許容または阻止されるフリコ検出ボス４１と、フリコ検出ボス４１とを後端面に突設している。これらフリコ検出ボス４１とフリコ移動規制ボス４３は、図５に示した検出ボス用貫通穴８１，８１と、規制ボス用貫通穴８３，８３を介して空間部１７に進退する。
【００３９】
また、フリコ検出ボス４１には、空間部１７への突出が阻止されるときに内穴２３に嵌入する表示保持ボス４７が突設されている。フリコ検出ボス４１が空間部１７へ突出されるフリコ２５の位置では、フリコ検出ボス４１とともに突出するフリコ移動規制ボス４３によってフリコ２５の回転方向の移動が規制されるが、フリコ移動規制ボス４３が突出しないフリコ２５の位置では、フリコ検出ボス４１の表示保持ボス４７が内穴２３に挿入される。フリコ２５は、内穴２３の長手方向一端にガイド軸２１が挿入され、他端に表示保持ボス４７が挿入されて移動が規制される。これにより、フリコ検出ボス４１とともにフリコ移動規制ボス４３が空間部１７に進出しない状態であっても、フリコ検出ボス４１の頂部に形成された表示保持ボス４７がフリコ２５の内穴２３に嵌入するので、トリガー３７をストローク端まで押さない限り、表示状態を保持することができるようになされている。
【００４０】
次に、上記構成を有する施解錠表示キー１００の作用を説明する。
図８は施解錠操作に伴うフリコの姿勢を（ａ）（ｂ）（ｃ）（ｄ）（ｅ）で表した動作説明図、図９は鍵表裏反転使用された場合の施解錠操作に伴うフリコの姿勢を（ａ）（ｂ）（ｃ）（ｄ）（ｅ）で表した動作説明図、図１０はフリコ検出ボス未突出の施錠操作後の動作説明図、図１１は図１０においてフリコ検出ボスが突出したキー引き抜き後の動作説明図、図１２はフリコ検出ボス未突出の解錠操作後の動作説明図、図１３は図１２においてフリコ検出ボスが突出したキー引き抜き後の動作説明図、図１４は施錠表示状態でのフリコの移動許容状況を（ａ）（ｂ）で表した要部斜視図、図１５は表示保持ボスが内穴に嵌入した解錠表示状態の要部斜視図である。
本作用では、解錠から施錠が図８の時計回り方向、施錠から解錠が図８の反時計回り方向である場合を例に説明する。施解錠表示キー１００は、表示窓部３９が見える状態で挿入される。解錠から施錠を行う場合では、水平に施解錠表示キー１００を鍵穴に挿入する。施解錠表示キー１００の表裏のメイントリガー３７とサブトリガー４９が同時に押され、スライダー３３が移動し、空間部１７からフリコ検出ボス４１とフリコ移動規制ボス４３が退去となる。これにより、図８（ａ）に示すように、フリコ２５は、ガイド軸２１に支持されたのみのフリーな状態となる。
【００４１】
施解錠表示キー１００が時計回りに９０°回転する施錠操作が行われると、図８（ｄ）に示すように、フリコ２５が自重で空間部１７のＣ・Ｄのエリアに移動する。施錠の後、施解錠表示キー１００を抜き取り位置に戻すため、図８（ｄ）に示した９０°位置から、図８（ｅ）に示す０°位置へ、反時計回りに９０°回転される。この時点では、図１０（ａ）に示すように、フリコ検出ボス４１、フリコ移動規制ボス４３は突出していない。これにより、フリコ２５は、自重でＤエリアに揺動する。また、図９に示すように、施解錠表示キー１００が表裏逆に使用されても、図１０（ｂ）に示す点対称位置となる。
【００４２】
施解錠表示キー１００が引き抜かれると、図１１に示すように、メイントリガー３７に連動するスライダー３３が空間部１７にフリコ検出ボス４１、フリコ移動規制ボス４３を突出する。これにより、フリコ２５は、Ｄエリアおよび対称位置のＡエリア以外のＢ，Ｃエリアへの移動が規制される。このスライダー３３の移動により、図１１（ｂ）に示すように表示窓部３９には「しめた」の施錠表示部３１が配置される。
【００４３】
一方、施錠から解錠を行う場合では、水平に施解錠表示キー１００を鍵穴に挿入する。施解錠表示キー１００の表裏のメイントリガー３７とサブトリガー４９が同時に押され、スライダー３３が移動し、空間部１７からフリコ検出ボス４１とフリコ移動規制ボス４３が退去となる。これにより、図８（ａ）に示すように、フリコ２５は、フリーな状態となる。
【００４４】
施解錠表示キー１００が反時計回りに９０°回転する解錠操作が行われると、図８（ｂ）に示すように、フリコ２５が自重で空間部１７のＡ・Ｂのエリアに移動する。解錠の後、施解錠表示キー１００を抜き取り位置に戻すため、図８（ｂ）に示した９０°位置から、図８（ｃ）に示す０°位置へ、時計回りに９０°回転される。この時点では、図１２に示すように、フリコ検出ボス４１、フリコ移動規制ボス４３は突出していない。これにより、フリコ２５は、自重でＢエリアに揺動する。また、図９に示すように、施解錠表示キー１００が表裏逆に使用されても、図１２（ｂ）に示す点対称位置となる。
【００４５】
施解錠表示キー１００が引き抜かれると、図１３に示すように、メイントリガー３７に連動するスライダー３３が移動し、フリコ検出ボス４１の表示保持ボス４７がフリコ２５の内穴２３に突出する。これにより、フリコ２５は、Ｂエリア以外のＡ，Ｃ，Ｄエリアへの移動が規制される。このスライダー３３の移動により、表示窓部３９には「あけた」の解錠表示部２９が配置される。
【００４６】
施錠状態では、図１４に示すように、フリコ２５は、点対称エリアＡ，Ｄに移動可能となる。一方、解錠状態では、フリコ検出ボス４１の表示保持ボス４７と、ガイド軸２１がフリコ２５の内穴２３両端に位置し、フリコ２５は移動規制されて固定状態に保持される。この解錠状態において、スライダー３３と空間部１７との間に形成させる図１５に示す離間距離ｄが、施錠表示部３１（「しめた」の文字）と解錠表示部２９（「あけた」の文字）との切替に必要な距離となっている。
【００４７】
このように、施解錠表示キー１００では、鍵１１が錠に差し込まれ、施解錠方向のいずれか一方に回転されると、空間部１７のフリコ２５が、ガイド軸２１を中心に重力の作用を受けて長手方向が鉛直方向となるように姿勢する。これにより、表示に備えたフリコ２５の姿勢のリセットがなされる。施解錠を完了させた後、鍵１１を錠から引き抜くために、水平姿勢となるまで再び逆回転されると、長手方向上端の内穴２３にガイド軸２１が配置され長手方向下端が自由端となっていたフリコ２５が、空間部１７に対し相対的に回転されて所定形状に形成された空間部１７の内壁面に当接配置される。この状態で鍵１１が水平姿勢となり、錠から抜かれると、トリガー３７とトリガーロック４９が突出し、同時にフリコ検出ボス４１がフリコ２５を検出する。その結果、スライダー３３の摺動位置が表示窓部３９に対し一定の位置に配置され、解錠表示部２９又は施錠表示部３１のいずれかが表示されることとなる。
【００４８】
図１６は窓部材の装着向き変更による表示切替状況を表した作用説明図である。
なお、上記実施の形態では、鍵１１を構成要件としたが、本発明は鍵１１を備えない施解錠表示装置２００としてもよい。これにより、装置本体１５に任意の既存鍵が装着されることで、既存鍵によって施解錠される扉の施解錠状態が、装置本体１５の表示窓部３９に表示可能となる。
【００４９】
施解錠表示キー１００あるいは施解錠表示装置２００は、スライダー３３の表面２７に、解錠表示部２９と施錠表示部３１が交互に三つ挿抜方向に並べて設けられている。装置本体１５には表示窓部３９の形成されたクリヤーウィンドゥ５１が、弾性係止手段８７によって着脱自在に装着される。クリヤーウィンドゥ５１に形成される表示窓部３９は、クリヤーウィンドゥ５１における鍵１１の挿抜方向中央部から表示部一つ分だけ挿抜方向のいずれか一方に片寄せられて設けられている。
【００５０】
クリヤーウィンドゥ５１の挿抜方向中央部から表示窓部３９が表示部一つ分だけ片寄せられ、クリヤーウィンドゥ５１が１８０度反転されて装置本体１５に付け替えられることで、今まで使用されていなかった反対端の解錠表示部２９又は施錠表示部３１が使用されるようになって、現状表示の内容を反転（施解錠表示を反転）させることができる。これにより、クリヤーウィンドゥ５１の装着向きを変えることで、左右勝手の錠に対し、すなわち時計回りで施錠となる或いは反時計回りで施錠となるという勝手の異なる錠に対し、ユーザーの手で表示動作の切替対応を可能にすることができるようになされている。
【００５１】
また、クリヤーウィンドゥ５１を透明樹脂材より構成し、このクリヤーウィンドゥ５１を付け替えることを可能とする構成とすることで、装置本体１５の内部構造を組み替えるなどの煩雑な操作が不要となるので、装置本体１５の水密性・気密性を高めることができ、水や埃の入りにくい構造とすることができて、長期に渡って信頼性の高い表示を実現させることができる。
【００５２】
したがって、本実施の形態に係る施解錠表示キー１００によれば、リバーシブルタイプの鍵１１に対応でき、通常の施解錠操作をするだけで、扉の施解錠状態をキーの挿抜方向に沿う表面に、文字表示させることができる。
【００５３】
また、本実施の形態に係る施解錠表示装置２００によれば、既存鍵と別体に構成されて装着されるので、既存鍵に二次加工を施さずに、既存鍵を原型のまま使用して、表示機能を付加することができる。
【符号の説明】
【００５４】
１１…鍵
１３…頭部
１５…装置本体
１７…空間部
１９…回動中心軸
２１…ガイド軸
２３…内穴
２５…フリコ
２７…表面
２９…解錠表示部
３１…施錠表示部
３３…スライダー
３７…トリガー（メイントリガー）
３９…表示窓部
４１…フリコ検出ボス
４３…フリコ移動規制ボス
４７…表示保持ボス
４９…トリガーロック（サブトリガー）
５１…窓部材（クリヤーウィンドゥ）
１００…施解錠表示キー
２００…施解錠表示装置
【図１】
0005410347.tif 000002
【図２】
0005410347.tif 000003
【図３】
0005410347.tif 000004
【図４】
0005410347.tif 000005
【図５】
0005410347.tif 000006
【図６】
0005410347.tif 000007
【図７】
0005410347.tif 000008
【図８】
0005410347.tif 000009
【図９】
0005410347.tif 000010
【図１０】
0005410347.tif 000011
【図１１】
0005410347.tif 000012
【図１２】
0005410347.tif 000013
【図１３】
0005410347.tif 000014
【図１４】
0005410347.tif 000015
【図１５】
0005410347.tif 000016
【図１６】
0005410347.tif 000017